(57)【要約】【課題】  サービスの開始に必要な納期を迅速に確定する在庫管理装置、在庫管理方法、在庫管理プログラム、及び、在庫管理プログラムを記録したコンピュータ読み取り可能な記録媒体を提供することを課題とする。【解決手段】光配線設備の在庫の状況を示す在庫情報とその光配線設備が設置された位置を示す位置情報とを受信して、受信した在庫情報と位置情報とを関連付けて格納し、所定の位置に対する光サービスの提供に必要な納期の要求を受け付け、受け付けた所定の位置に設置された光配線設備の位置を示す位置情報に対応する在庫情報を設備構築情報格納部１２から読み出して、読み出した在庫情報に対応する工事形態を工事形態情報格納部１０から特定し、特定された工事形態に対応する期間を納期情報格納部１１から読み出して、読み出した期間を所定の位置に対するサービスの提供に必要な納期とする。【選択図】図１
2008301354.tif 000002
【特許請求の範囲】
【請求項１】
所定のサービスを提供する配線設備の在庫の状況を示す在庫情報と、当該在庫情報に対応する前記サービスの提供に必要な工事形態とを関連付けて格納しておく工事形態情報格納手段と、
前記工事形態と、当該工事形態の工事に必要な期間とを関連付けて格納しておく納期情報格納手段と、
前記配線設備の在庫の状況を示す在庫情報と、前記配線設備が設置された位置を示す位置情報とを受信して、当該在庫情報と当該位置情報とを関連付けて格納する設備構築情報格納手段と、
所定の位置に対する前記サービスの提供に必要な納期の要求を受け付ける受付手段と、
当該所定の位置に設置された前記配線設備の位置を示す位置情報に対応する在庫情報を前記設備構築情報格納手段から読み出して、当該在庫情報に対応する工事形態を前記工事形態情報格納手段から特定する工事形態情報特定手段と、
特定された当該工事形態に対応する期間を前記納期情報格納手段から読み出して、当該期間を前記所定の位置に対するサービスの提供に必要な納期とする納期情報生成手段と、
を有することを特徴とする在庫管理装置。
【請求項２】
前記所定の位置は、所定数の建物で区画されたブロック毎に位置付けられることを特徴とする請求項１に記載の在庫管理装置。
【請求項３】
所定のサービスを提供する配線設備の在庫の状況を示す在庫情報と、当該在庫情報に対応する前記サービスの提供に必要な工事形態とを関連付けて工事形態情報格納手段に格納しておくステップと、
前記工事形態と、当該工事形態の工事に必要な期間とを関連付けて納期情報格納手段に格納しておくステップと、
前記配線設備の在庫の状況を示す在庫情報と、前記配線設備が設置された位置を示す位置情報とを受信して、当該在庫情報と当該位置情報とを関連付けて設備構築情報格納手段に格納するステップと、
所定の位置に対する前記サービスの提供に必要な納期の要求を受け付けるステップと、
当該所定の位置に設置された前記配線設備の位置を示す位置情報に対応する在庫情報を前記設備構築情報格納手段から読み出して、当該在庫情報に対応する工事形態を前記工事形態情報格納手段から特定するステップと、
特定された当該工事形態に対応する期間を前記納期情報格納手段から読み出して、当該期間を前記所定の位置に対するサービスの提供に必要な納期とするステップと、
を有することを特徴とする在庫管理方法。
【請求項４】
所定のサービスを提供する配線設備の在庫の状況を示す在庫情報と、当該在庫情報に対応する前記サービスの提供に必要な工事形態とを関連付けて工事形態情報格納手段に格納しておく処理と、
前記工事形態と、当該工事形態の工事に必要な期間とを関連付けて納期情報格納手段に格納しておく処理と、
前記配線設備の在庫の状況を示す在庫情報と、前記配線設備が設置された位置を示す位置情報とを受信して、当該在庫情報と当該位置情報とを関連付けて設備構築情報格納手段に格納する処理と、
所定の位置に対する前記サービスの提供に必要な納期の要求を受け付ける処理と、
当該所定の位置に設置された前記配線設備の位置を示す位置情報に対応する在庫情報を前記設備構築情報格納手段から読み出して、当該在庫情報に対応する工事形態を前記工事形態情報格納手段から特定する処理と、
特定された当該工事形態に対応する期間を前記納期情報格納手段から読み出して、当該期間を前記所定の位置に対するサービスの提供に必要な納期とする処理と、
を在庫管理装置に実行させることを特徴とする在庫管理プログラム。
【請求項５】
所定のサービスを提供する配線設備の在庫の状況を示す在庫情報と、当該在庫情報に対応する前記サービスの提供に必要な工事形態とを関連付けて工事形態情報格納手段に格納しておく処理と、
前記工事形態と、当該工事形態の工事に必要な期間とを関連付けて納期情報格納手段に格納しておく処理と、
前記配線設備の在庫の状況を示す在庫情報と、前記配線設備が設置された位置を示す位置情報とを受信して、当該在庫情報と当該位置情報とを関連付けて設備構築情報格納手段に格納する処理と、
所定の位置に対する前記サービスの提供に必要な納期の要求を受け付ける処理と、
当該所定の位置に設置された前記配線設備の位置を示す位置情報に対応する在庫情報を前記設備構築情報格納手段から読み出して、当該在庫情報に対応する工事形態を前記工事形態情報格納手段から特定する処理と、
特定された当該工事形態に対応する期間を前記納期情報格納手段から読み出して、当該期間を前記所定の位置に対するサービスの提供に必要な納期とする処理と、
を在庫管理装置に実行させることを特徴とする在庫管理プログラムを記録したコンピュータ読み取り可能な記録媒体。
【発明の詳細な説明】
【技術分野】
【０００１】
本発明は、配線設備の在庫を管理する技術に関する。
【背景技術】
【０００２】
現在、インターネットや各種通信網を介して配信される映像コンテンツなど、ネットワーク帯域を多く使用する様々なサービスが提供されている。そのサービスを快適に享受するため、ユーザは高速なインターネット接続を要求し、その要望に十分に答えるべく、従来の電話回線を用いたＡＤＳＬサービスや、光回線を用いた光サービスなどの通信速度の速い様々なサービスが提供されている。
【０００３】
電話回線として用いる同軸ケーブルは、全国の略全ての住宅やオフィスに普及されており、例えば上記ＡＤＳＬサービスを提供する場合、電話回線をユーザ宅に引き込む工事は殆ど発生することはない。また、電話回線の設備を管理するには、ユーザ宅の近傍に設置された配線柱にその同軸ケーブルが引き込まれているか否かについてのみ管理する方法で十分なものであった。
【０００４】
一方、光回線を用いて光サービスを提供する場合、光ケーブルを敷設する際に発生する工事費用や、光ケーブルなどの物理的な設備費用などの発生により、未だ全ての住宅まで完備されておらず、ユーザからの要求があった時点で、光ケーブルやスプリッタなどの敷設工事や引き込み工事を行っている（非特許文献１参照）。そして、その光サービスの提供に必要な光配線設備の在庫の管理方法は、従来の電話回線の管理方法に準ずる方法であった。
【非特許文献１】“BIGLOBE  ブロードバンド総合案内”、［online］、［平成１９年５月２０日検索］、インターネット＜http://join.biglobe.ne.jp/info/topics/ftth_1107_p_bf.html＞
【発明の開示】
【発明が解決しようとする課題】
【０００５】
しかしながら、現時点における光サービスの普及率は電話回線に比して低く、また、光配線設備の敷設状況は地域により大きく異なるので、ユーザから光サービスの提供の要求があった場合には、光サービスを提供する電話局からユーザ宅までの区間において、どの配線柱まで光ケーブルが配備されており、そのユーザに提供可能なスプリッタ端子の空きはあるか等、その区間における光配線設備の設置状況及び在庫状況を逐一確認した上で、敷設工事に必要な期間を計算するため、サービス開始日までの納期の特定に多大な労力と時間とを必要とするという問題があった。
【０００６】
また、その納期の特定に多くの時間を必要とするため、ユーザに対してサービス開始日を迅速に提供できないという問題があった。
【０００７】
本発明は、上記を鑑みてなされたものであり、サービスの開始に必要な納期を迅速に確定する在庫管理装置、在庫管理方法、在庫管理プログラム、及び、在庫管理プログラムを記録したコンピュータ読み取り可能な記録媒体を提供することを課題とする。
【課題を解決するための手段】
【０００８】
請求項１に記載の本発明は、所定のサービスを提供する配線設備の在庫の状況を示す在庫情報と、当該在庫情報に対応する前記サービスの提供に必要な工事形態とを関連付けて格納しておく工事形態情報格納手段と、前記工事形態と、当該工事形態の工事に必要な期間とを関連付けて格納しておく納期情報格納手段と、前記配線設備の在庫の状況を示す在庫情報と、前記配線設備が設置された位置を示す位置情報とを受信して、当該在庫情報と当該位置情報とを関連付けて格納する設備構築情報格納手段と、所定の位置に対する前記サービスの提供に必要な納期の要求を受け付ける受付手段と、当該所定の位置に設置された前記配線設備の位置を示す位置情報に対応する在庫情報を前記設備構築情報格納手段から読み出して、当該在庫情報に対応する工事形態を前記工事形態情報格納手段から特定する工事形態情報特定手段と、特定された当該工事形態に対応する期間を前記納期情報格納手段から読み出して、当該期間を前記所定の位置に対するサービスの提供に必要な納期とする納期情報生成手段と、を有することを要旨とする。
【０００９】
本発明にあっては、所定のサービスを提供する配線設備の在庫の状況を示す在庫情報とこの在庫情報に対応するサービスの提供に必要な工事形態とを関連付けて格納しておく工事形態情報格納手段と、工事形態とこの工事形態の工事に必要な期間とを関連付けて格納しておく納期情報格納手段とを予め有するものであって、配線設備の在庫の状況を示す在庫情報とその配線設備が設置された位置を示す位置情報とを受信して、受信した在庫情報と位置情報とを関連付けて格納し、所定の位置に対するサービスの提供に必要な納期の要求を受け付け、受け付けた所定の位置に設置された配線設備の位置を示す位置情報に対応する在庫情報を設備構築情報格納手段から読み出して、読み出した在庫情報に対応する工事形態を工事形態情報格納手段から特定し、特定された工事形態に対応する期間を納期情報格納手段から読み出して、読み出した期間を所定の位置に対するサービスの提供に必要な納期とするため、サービスの開始に必要な納期を迅速に確定することを可能とする。
【００１０】
請求項２に記載の本発明は、前記所定の位置が、所定数の建物で区画されたブロック毎に位置付けられることを要旨とする。
【００１１】
本発明にあっては、所定の位置が、所定数の建物で区画されたブロック毎に位置付けられるため、配線設備の管理をより効率的に行うことを可能とする。
【００１２】
請求項３に記載の本発明は、所定のサービスを提供する配線設備の在庫の状況を示す在庫情報と、当該在庫情報に対応する前記サービスの提供に必要な工事形態とを関連付けて工事形態情報格納手段に格納しておくステップと、前記工事形態と、当該工事形態の工事に必要な期間とを関連付けて納期情報格納手段に格納しておくステップと、前記配線設備の在庫の状況を示す在庫情報と、前記配線設備が設置された位置を示す位置情報とを受信して、当該在庫情報と当該位置情報とを関連付けて設備構築情報格納手段に格納するステップと、所定の位置に対する前記サービスの提供に必要な納期の要求を受け付けるステップと、当該所定の位置に設置された前記配線設備の位置を示す位置情報に対応する在庫情報を前記設備構築情報格納手段から読み出して、当該在庫情報に対応する工事形態を前記工事形態情報格納手段から特定するステップと、特定された当該工事形態に対応する期間を前記納期情報格納手段から読み出して、当該期間を前記所定の位置に対するサービスの提供に必要な納期とするステップと、を有することを要旨とする。
【００１３】
請求項４に記載の本発明は、所定のサービスを提供する配線設備の在庫の状況を示す在庫情報と、当該在庫情報に対応する前記サービスの提供に必要な工事形態とを関連付けて工事形態情報格納手段に格納しておく処理と、前記工事形態と、当該工事形態の工事に必要な期間とを関連付けて納期情報格納手段に格納しておく処理と、前記配線設備の在庫の状況を示す在庫情報と、前記配線設備が設置された位置を示す位置情報とを受信して、当該在庫情報と当該位置情報とを関連付けて設備構築情報格納手段に格納する処理と、所定の位置に対する前記サービスの提供に必要な納期の要求を受け付ける処理と、当該所定の位置に設置された前記配線設備の位置を示す位置情報に対応する在庫情報を前記設備構築情報格納手段から読み出して、当該在庫情報に対応する工事形態を前記工事形態情報格納手段から特定する処理と、特定された当該工事形態に対応する期間を前記納期情報格納手段から読み出して、当該期間を前記所定の位置に対するサービスの提供に必要な納期とする処理と、を在庫管理装置に実行させることを要旨とする。
【００１４】
請求項５に記載の本発明は、所定のサービスを提供する配線設備の在庫の状況を示す在庫情報と、当該在庫情報に対応する前記サービスの提供に必要な工事形態とを関連付けて工事形態情報格納手段に格納しておく処理と、前記工事形態と、当該工事形態の工事に必要な期間とを関連付けて納期情報格納手段に格納しておく処理と、前記配線設備の在庫の状況を示す在庫情報と、前記配線設備が設置された位置を示す位置情報とを受信して、当該在庫情報と当該位置情報とを関連付けて設備構築情報格納手段に格納する処理と、所定の位置に対する前記サービスの提供に必要な納期の要求を受け付ける処理と、当該所定の位置に設置された前記配線設備の位置を示す位置情報に対応する在庫情報を前記設備構築情報格納手段から読み出して、当該在庫情報に対応する工事形態を前記工事形態情報格納手段から特定する処理と、特定された当該工事形態に対応する期間を前記納期情報格納手段から読み出して、当該期間を前記所定の位置に対するサービスの提供に必要な納期とする処理と、を在庫管理装置に実行させることを特徴とする在庫管理プログラムを記録したコンピュータ読み取り可能な記録媒体であることを要旨とする。
【発明の効果】
【００１５】
本発明によれば、サービスの開始に必要な納期を迅速に確定する在庫管理装置、在庫管理方法、在庫管理プログラム、及び、在庫管理プログラムを記録したコンピュータ読み取り可能な記録媒体を提供することができる。
【発明を実施するための最良の形態】
【００１６】
以下、本発明の実施の形態について図面を用いて説明する。
【００１７】
最初に、本実施の形態に係る在庫管理装置の構成について説明する。図１は、本発明の実施の形態に係る在庫管理装置１を有する全体構成を示す構成図である。この全体構成は、在庫管理装置１を設置しておく在庫管理納期情報センター１００と、ＤＢ管理端末２を設置しておく端末センター２００と、工事情報格納部３を設置しておく所外設備管理センター３００と、及び、受付端末４を設置しておく受付センター４００とを備えた構成である。
【００１８】
それらの各センター１００〜４００は、ＬＡＮ（Local Area Network）、インターネット、公衆回線網、ケーブルテレビ網等の通信ネットワーク（図示せず）を介して接続されており、片方向又は双方向の通信が可能である。なお、インターネットとは、所定のプロトコルに基づいて相互リンクされたネットワークの集合体である。
【００１９】
ＤＢ管理端末２は、光配線設備の設置状況及び在庫状況や、その光配線設備の設置場所などの工事情報を登録することが可能である（後述する図２参照）。なお、本実施の形態で説明する光配線設備とは、光サービスを提供するために必要な設備であって、具体的には、光ファイバで形成される光心線や、その光心線を絶縁性の樹脂で覆った光ケーブルや、その光ケーブルを複数本束ねたテープや、光心線を通じて出力される光信号を分岐するスプリッタなどを意味するものである。
【００２０】
工事情報格納部３は、ＤＢ管理端末２から登録された工事情報をデータベース形式又はファイル形式で格納することが可能である。図２は、ＤＢ管理端末２から登録される工事情報の一例を示す表である。登録される工事情報には、光サービスを提供する際に利用している配線柱やマンホールなどの固定設備や光ケーブルやスプリッタなどの光配線設備が設置された位置を示す光設備情報、光ケーブルの空き状態や使用状態などの在庫の状況を示す光心線情報、所外スプリッタが設置されている固定設備の位置を示す所外スプリッタ情報、所外スプリッタ内の端子の空き状態や使用状態などの在庫の状況を示す所外スプリッタ端子情報、及び、光サービスを提供する所定数の建物で区画されたブロックを示す配線ブロック情報が含まれている。
【００２１】
なお、工事情報格納部３に格納されている各情報は、各々、関連付けて格納されており、例えば、○○○市△△△丁目に固定されている配線柱には、現在、５本の光心線が設置されており、そのうち使用中の本数は２本で、未使用の本数は３本である、というように、在庫情報と位置情報とが関連付けられている。
【００２２】
図１に戻り、在庫管理装置１は、光回線を用いて提供される光サービスに必要な光配線設備の在庫を管理し、光サービスを開始に必要な納期を提供するものであって、具体的には、在庫情報と工事形態とを関連付けて格納しておく工事形態情報格納部１０と、工事形態と工事に必要な期間とを関連付けて格納しておく納期情報格納部１１と、所定のタイミングにおける光配線設備の在庫情報と位置情報とを関連付けて格納する設備構築情報格納部１２と、光サービスの納期の要求を受け付ける受付部１３と、その所定のタイミングにおける光配線設備の在庫情報と位置情報とに基づいて工事形態を特定する工事形態特定部１４と、及び、特定された工事形態に対応する期間を納期とする納期情報生成部１５とを備えた構成である。以下、工事形態情報格納部１０及び納期情報格納部１１に格納されている各情報について、より具体的に説明する。
【００２３】
工事形態情報格納部１０には、光配線設備の在庫の状況を示す在庫情報と、この在庫情報に対応する光サービスの提供に必要な工事形態とが関連付けて格納されている。そして、この在庫情報は、光配線設備を構成する所外スプリッタ，光心線，テープのそれぞれの在庫数に応じた在庫情報として管理されている。この在庫情報の詳細を説明する前に、光サービスを提供する収容局に収容されたＦＴＭ（Fiber Termination Module）からユーザ宅までの間に設置される固定設備や光配線設備の位置関係について説明する。なお、ＦＴＭとは、複数の加入者光ケーブルを終端するモジュールを意味するものである。
【００２４】
図３は、光配線設備の設置状態の一例を示す図である。収容局５０に収容されたＦＴＭ５１には、３本の光心線５２を束ねる１１本のテープ５３が終端されている。そして、光心線５２は、地下領域Ａ及び架空領域Ｂに在る複数の固定設備を介して収容局５０からユーザ宅５４まで敷設されている。なお、テープ５３は、本来、光心線５２を直接的に束ねるものではなく、前述のように光ケーブルを束ねるものであるが、光心線と光ケーブルとの数量の単位を同一とする場合が多いので、ここでは光心線５２に統一して説明を続ける。
【００２５】
光心線５２が地下領域Ａから架空領域Ｂに引き上げられる地点は「き線点」と称され、この「き線点」は、約４００〜６００のユーザ宅の範囲毎に設けられている。「き線点」からユーザ宅までの区間を固定配線区画と称し、光心線５２は、その固定配線区画に存在する複数の配線柱５５ａ〜５５ｄを介して、約５０のユーザ宅の範囲毎で区画された配線ブロック内に位置する「配線点」としての配線柱５５ｅまで設置されている。そして、その配線柱５５ｅに設置された光心線５２に接続された所外スプリッタ５６から伸びる引込線５７をユーザ宅５４に引き込むことで、光サービスを提供することが可能となる。勿論、配線ブロックによっては、「き線点」に位置する配線柱５５ａが、「配線点」に位置する配線柱５５ｅになる場合もある。
【００２６】
図３を用いて説明した内容を踏まえて、在庫情報について説明する。図４は、工事形態情報格納部１０に格納されている在庫情報と工事形態との一例を示す表である。この在庫情報は、所外スプリッタの空き端子数を示す所外スプリッタ在庫、配線点における単心分離済である空きの心線数を示す配線点在庫、配線点において即応で提供可能な心線数を示す心線在庫数、固定配線区画内における地下引き上げの「き線点」から配線点までの架空方路内の空きの心線数を示す架空ルート在庫数、「き線点」における空きのテープ数を示すき線点引上テープ在庫、地下領域における空きのテープ数を示すき線点地下テープ在庫又は地下ルートテープ在庫ごとに区分けされている。そして、その各在庫情報に対して、光サービスの提供に必要となる様々な工事形態が対応付けられている。
【００２７】
なお、図４で示す在庫情報は、配線点や「き線点」などの位置に対応付けた在庫ごとに区分するものであるが、本来、ある１つの配線柱には、光心線や所外スプリッタやテープなどにそれぞれ対応する複数の在庫情報が存在するため、位置とは関係なく、それら光配線設備の在庫の状況を示す在庫情報のみを用いて在庫情報を区分けしても、同様の効果を得ることが可能である。
【００２８】
納期情報格納部１１には、複数の工事形態とこの複数の工事形態の工事に必要なそれぞれの期間とが関連付けて格納されている。図５は、納期情報生成部１５に格納された工事形態及び期間の関係の一例を示す表である。例えば、工事ＰＴ（パターン）１の工事形態の場合に必要な工事期間は１日であり、工事ＰＴ４の場合には７日であるように、様々な工事形態に対する工事の期間が、日数や時間などの単位を用いて対応付けられている。図６−１〜図６−３は、複数の工事形態における具体的な工事の内容の一例を示す図である。図５及び図６−１〜図６−３を参照することで、例えば、工事ＰＴ２の工事形態の場合、実際に必要な工事の内容は、ドロップ新設、ＳＰ（スプリッタ）新設、及び、ＡＯ（配線函）新設であり、その工事に必要な期間は２日であると把握することが可能となる。
【００２９】
続いて、本実施の形態に係る在庫管理装置１の処理動作について説明する。
【００３０】
最初に、在庫管理装置１は、所外設備管理センター３００に設置された工事情報格納部３に格納された工事情報を受信し、その工事情報は、設備構築情報格納部１２に格納される（ステップＳ１）。
【００３１】
受信した工事情報とは、光配線設備の在庫の状況を示す在庫情報と、光配線設備が設置された位置を示す位置情報と、光サービスを提供する所定数の建物で区画されたブロックを示す配線ブロック情報であって、より具体的には、図２を用いて説明した各情報と同じ情報である。そして、それら在庫情報と位置情報と配線ブロック情報とが関連付けて設備構築情報格納部１２に格納される。なお、工事情報格納部３に登録されている工事情報は、固定設備に対する光配線設備の工事竣工後、バッチ処理により夜間に反映するようにしてもよい。
【００３２】
次に、在庫管理装置１の受付部１３は、受付センター４００に設置された受付端末４から、所定の位置に対する光サービスの提供に必要な納期の要求を受け付ける（ステップＳ２）。
【００３３】
この所定の位置とは、ユーザ宅の固定電話の電話番号や、そのユーザ宅の住所であって、光サービスを提供する場所を把握可能な位置である。更には、ユーザ宅の最も近傍に設置された配線柱でもよく、受付センター４００で把握可能な場合には、そのユーザ宅が含まれる配線ブロック内に位置する配線点としての配線柱の所在であってもよい。
【００３４】
続いて、工事形態特定部１４は、要求された所定の位置に設置された光配線設備の位置を示す位置情報に対応する在庫情報を設備構築情報格納部１２から読み出して、読み出した在庫情報に対応する工事形態を工事形態情報格納部１０から特定する（ステップＳ３）。
【００３５】
ここで、ステップ３の処理動作について、より具体的に説明する。図７は、ステップ３の処理の流れの一例を示すフローである。まず、工事形態特定部１４は、ステップＳ２で受け付けた所定の位置に対応する配線ブロックを、設備構築情報格納部１２に格納されている配線ブロック情報から検索する（ステップＳ３−１）。
【００３６】
そして、検索された配線ブロック内に設置された配線柱から収容局までの間に在する配線設備の在庫状況を、設備構築情報格納部１２に格納されている光心線情報や所外スプリッタ情報などから確認し、受け付けた所定の位置に対する現時点の在庫状況を把握する（ステップＳ３−２）。
【００３７】
ここで、現時点の在庫状況の把握に際し、図２に示す各情報に記載のどの情報に基づいて、図４に示す在庫情報の各在庫が求められるかについて説明する。所外スプリッタ在庫に対する在庫状況は、光設備情報と、配線ブロック情報と、所外スプリッタ情報と、所外スプリッタ端子情報とに基づいて求められる。そして、所外スプリッタ在庫以外の全ての在庫に対する在庫状況は、光設備情報と、光心線情報と、配線ブロック情報とに基づいて求められる。
【００３８】
最後に、工事形態特定部１４は、把握した在庫状況に対応する工事形態を工事形態情報格納部１０から特定する（ステップＳ３−３）。
【００３９】
例えば、所外スプリッタ在庫がある場合、即ち、その所定の位置に設置された所外スプリッタに空き端子がある場合には、工事形態情報格納部１０に格納された工事形態情報に基づいて、工事ＰＴ１又は工事ＰＴ３の工事形態が特定される。空き端子がない場合には、次に、即応在庫の有無を確認するように、その所定の位置に設置された光配線設備の在庫の状況に応じて、工事形態が特定されることになる。
【００４０】
その後、納期情報生成部１５は、特定された工事形態に対応する期間を納期情報格納部１１から読み出して、読み出した期間を要求された所定の位置に対するサービスの提供に必要な納期とする（ステップＳ４）。
【００４１】
最後に、在庫管理装置１は、その納期を受付端末４に送信する（ステップＳ５）。なお、ステップＳ２及びステップＳ５処理を省略し、全ての配線ブロックに対するあらゆる工事形態を特定した複数の納期を、図示しない格納部に格納しておくことも可能である。
【００４２】
図８は、従来の場合の光サービスをユーザに提供するまでの処理の流れの一例を示すフローである。同図に示すように、ユーザからの光サービスの申し込みがあった場合に、受付センターは、在庫管理納期情報センターに光配線設備の検討を問い合わせて、設備設計が終了した後に、ユーザに納期を回答する必要があるので、ユーザに対する複数の受付回数が発生し、光サービスの開始日を迅速に提供することができない。
【００４３】
図９は、本実施の形態で説明した在庫管理装置を用いて、光サービスをユーザに提供するまでの処理の流れの一例を示すフローである。同図に示すように、ユーザから光サービスの申し込みがあった１次受付の時点において、受付センターは、在庫管理納期情報センターに設置された在庫管理装置に対して納期の情報を問い合わせすることで、工事に必要な納期を迅速に確定することが可能となる。更に、ユーザとの間で、工事開始日を迅速に決定することが可能となる。
【００４４】
なお、本実施の形態で説明した在庫管理装置１の処理をプログラムとして、例えば、コンパクトディスクやフロッピー（登録商標）ディスクなどの記録媒体に記録して、この記録媒体をコンピュータに組み込んだり、または記録媒体に記録されたプログラムを通信回線を介してコンピュータにダウンロードしたり、または記録媒体からインストールし、そのプログラムでコンピュータを動作させることにより、上述した処理を在庫管理装置１として機能させることができるのは勿論であり、このような記録媒体を用いることにより、その流通性を高めることができるものである。
【００４５】
最後に、本実施の形態では、光サービスに必要な光配線設備の在庫管理について説明したが、これに限られるものではなく、他の配線設備に対しても用いることが可能である。
【００４６】
本実施の形態によれば、光サービスを提供する光配線設備の在庫の状況を示す在庫情報とこの在庫情報に対応する光サービスの提供に必要な工事形態とを関連付けて格納しておく工事形態情報格納部１０と、工事形態とこの工事形態の工事に必要な期間とを関連付けて格納しておく納期情報格納部１１とを予め有するものであって、光配線設備の在庫の状況を示す在庫情報とその光配線設備が設置された位置を示す位置情報とを受信して、受信した在庫情報と位置情報とを関連付けて格納し、所定の位置に対する光サービスの提供に必要な納期の要求を受け付け、受け付けた所定の位置に設置された光配線設備の位置を示す位置情報に対応する在庫情報を設備構築情報格納部１２から読み出して、読み出した在庫情報に対応する工事形態を工事形態情報格納部１０から特定し、特定された工事形態に対応する期間を納期情報格納部１１から読み出して、読み出した期間を所定の位置に対するサービスの提供に必要な納期とするので、サービスの開始に必要な納期を迅速に確定することを可能とする。
【００４７】
本実施の形態によれば、所定の位置が、所定数の建物で区画されたブロック毎に位置付けられるので、光配線設備の管理をより効率的に行うことを可能とする。
【図面の簡単な説明】
【００４８】
【図１】本発明の実施の形態に係る在庫管理装置を有する全体構成を示す構成図である。
【図２】ＤＢ管理端末から登録される工事情報の一例を示す表である。
【図３】光配線設備の設置状態の一例を示す図である。
【図４】工事形態情報格納部に格納されている在庫情報と工事形態との一例を示す表である。
【図５】納期情報生成部に格納された工事形態及び期間の関係の一例を示す表である。
【図６−１】複数の工事形態における具体的な工事の内容の一例を示す図である。
【図６−２】複数の工事形態における具体的な工事の内容の一例を示す図である。
【図６−３】複数の工事形態における具体的な工事の内容の一例を示す図である。
【図７】ステップの処理の流れの一例を示すフローである。
【図８】従来の場合の光サービスをユーザに提供するまでの処理の流れの一例を示すフローである。
【図９】本実施の形態で説明した在庫管理装置を用いて、光サービスをユーザに提供するまでの処理の流れの一例を示すフローである。
【符号の説明】
【００４９】
１…在庫管理装置
２…ＤＢ管理端末
３…工事情報格納部
４…受付端末
１０…工事形態情報格納部
１１…納期情報格納部
１２…設備構築情報格納部
１３…受付部
１４…工事形態特定部
１５…納期情報生成部
５０…収容局
５１…ＦＴＭ
５２…光心線
５３…テープ
５４…ユーザ宅
５５ａ〜５５ｅ…配線柱
５６…所外スプリッタ
５７…引込線
１００…在庫管理納期情報センター
２００…端末センター
３００…所外設備管理センター
４００…受付センター
Ｓ１〜Ｓ５，Ｓ３−１〜Ｓ３−３…ステップ
【図１】
2008301354.tif 000003
【図２】
2008301354.tif 000004
【図３】
2008301354.tif 000005
【図４】
2008301354.tif 000006
【図５】
2008301354.tif 000007
【図６−１】
2008301354.tif 000008
【図６−２】
2008301354.tif 000009
【図６−３】
2008301354.tif 000010
【図７】
2008301354.tif 000011
【図８】
2008301354.tif 000012
【図９】
2008301354.tif 000013